(57)【要約】【課題】  特定形状のアンダーヘアーの出し部分のみを、熟練を要することなく、また細心の注意を払うことなく容易に剃り取り又は刈り取りできるアンダーヘアー形成用補助具の提供。【解決手段】  特定形状のアンダーヘアー型プレート板とその上方に接続部が狭窄して延設される延設板とからなるアンダーヘアー形成用補助具。更に同延設板の上部に把持部を延設してもよい。延設板又は／及び把持部の裏面に粘着剤層を設けることが好ましい。  延設板又は把持部あるいは延設板及び把持部に基準表示（例えば垂直線、水平線）を付して位置合わせを容易となすこともできる。【選択図】  図２
0003120112.tif 000002
【実用新案登録請求の範囲】
【請求項１】
特定形状のアンダーヘアー型プレート板とその上方に接続部が狭窄して延設される延設板とからなることを特徴とするアンダーヘアー形成用補助具。
【請求項２】
特定形状のアンダーヘアー型プレート板とその上方に接続部が狭窄して延設される延設板と、更に同延設板の上部に延設される把持部とからなることを特徴とするアンダーヘアー形成用補助具。
【請求項３】
延設板の裏面に粘着剤層が設けられてなることを特徴とする請求項１又は２に記載のアンダーヘアー形成用補助具。
【請求項４】
把持部の裏面又は、延設板及び把持部の裏面に粘着剤層が設けられてなることを特徴とする請求項１又は２に記載のアンダーヘアー形成用補助具。
【請求項５】
延設板又は把持部あるいは延設板及び把持部に基準表示が設けられてなることを特徴とする請求項１〜４のいずれか１項に記載のアンダーヘアー形成用補助具。
【請求項６】
延設板又は把持部あるいは延設板及び把持部に基準表示が設けられてなることを特徴とする請求項１〜４のいずれか１項に記載のアンダーヘアー形成用補助具。
【請求項７】
素材が透明又は半透明プラスチックスであることを特徴とする請求項１〜６のいずれか１項に記載のアンダーヘアー形成用補助具。
【請求項８】
素材が紙であることを特徴とする請求項１〜６のいずれか１項に記載のアンダーヘアー形成用補助具。
【請求項９】
素材がアルミニウム、錫、銅、鉛等の金属であることを特徴とする請求項１〜６のいずれか１項に記載のアンダーヘアー形成用補助具。
【請求項１０】
基準表示が間隔を置いて並設された垂直方向の複数の線であることを特徴とする請求項５〜９のいずれか１項に記載のアンダーヘアー形成用補助具。
【請求項１１】
基準表示が間隔を置いて並設された水平方向の複数の線であることを特徴とする請求項５〜１０のいずれか１項に記載のアンダーヘアー形成用補助具。
【請求項１２】
特定形状のアンダーヘアー型プレート板の上方に延設される延設板の接続部が、適宜角度の折り曲げ可能でかつその折り曲げ角度で形状保持できるものであることを特徴とする請求項１〜１１のいずれか１項に記載のアンダーヘアー形成用補助具。
【請求項１３】
アンダーヘアー型プレート板の特定形状が、ハート型、ティアードロップ型、トライアングル型あるいはスクエア型から選択されるいずれか１種であることを特徴とする請求項１〜１２のいずれか１項に記載のアンダーヘアー形成用補助具。
【考案の詳細な説明】
【技術分野】
【０００１】
本願考案は、アンダーヘアー形成用補助具に関するものであり、特に新体操、バレー等の競技において、アンダーヘアーの輪郭が下着の縁部から外部にはみ出さず、かつアンダーヘアーの形状を美麗に整形された状態にするため、剃刀、鋏等でアンダーヘアーのはみ出し部を剃り又は切り取って整毛する際に使用するアンダーヘアー形成用補助具に関するものである。
【考案の開示】
【考案が解決しようとする課題】
【０００２】
従来、新体操、バレー等の競技において、アンダーヘアーの輪郭が下着の縁部から外部にはみ出さないようにすべく、剃刀・鋏等を用いて輪郭を整形していたが、非常に手間と注意力と熟練とを要していた。
【課題を解決するための手段】
【０００３】
本考案者は、上記従来技術の課題を解決するもので、下記構成のアンダーヘアー形成用補助具を提供するものである。
[１]  特定形状のアンダーヘアー型プレート板とその上方に接続部が狭窄して延設される延設板とからなることを特徴とするアンダーヘアー形成用補助具。
[２]  特定形状のアンダーヘアー型プレート板とその上方に接続部が狭窄して延設される延設板と、更に同延設板の上部に延設される把持部とからなることを特徴とするアンダーヘアー形成用補助具。
[３]  延設板の裏面に粘着剤層が設けられてなることを特徴とする前記[１]又は[２]に記載のアンダーヘアー形成用補助具。
【０００４】
[４]  把持部の裏面又は、延設板及び把持部の裏面に粘着剤層が設けられてなることを特徴とする前記[１]又は[２]に記載のアンダーヘアー形成用補助具。
[５]  延設板又は把持部あるいは延設板及び把持部に基準表示が設けられてなることを特徴とする前記[１]〜[４]のいずれか１項に記載のアンダーヘアー形成用補助具。
【０００５】
[６]  延設板又は把持部あるいは延設板及び把持部に基準表示が設けられてなることを特徴とする前記[１]〜[４]のいずれか１項に記載のアンダーヘアー形成用補助具。
[７]  素材が透明又は半透明プラスチックスであることを特徴とする前記[１]〜[６]のいずれか１項に記載のアンダーヘアー形成用補助具。
[８]  素材が紙であることを特徴とする前記[１]〜[６]のいずれか１項に記載のアンダーヘアー形成用補助具。
[９]  素材がアルミニウム、錫、銅、鉛等の金属であることを特徴とする前記[１]〜[６]のいずれか１項に記載のアンダーヘアー形成用補助具。
[１０]  基準表示が間隔を置いて並設された垂直方向の複数の線であることを特徴とする前記[５]〜[９]のいずれか１項に記載のアンダーヘアー形成用補助具。
【０００６】
[１１]  基準表示が間隔を置いて並設された水平方向の複数の線であることを特徴とする前記[５]〜[１０]のいずれか１項に記載のアンダーヘアー形成用補助具。
[１２]  特定形状のアンダーヘアー型プレート板の上方に延設される延設板の接続部が、適宜角度の折り曲げ可能でかつその折り曲げ角度で形状保持できるものであることを特徴とする前記[１]〜[１１]のいずれか１項に記載のアンダーヘアー形成用補助具。
[１３]  アンダーヘアー型プレート板の特定形状が、ハート型、ティアードロップ型、トライアングル型あるいはスクエア型から選択されるいずれか１種であることを特徴とする前記[１]〜[１２]のいずれか１項に記載のアンダーヘアー形成用補助具。
【考案の効果】
【０００７】
本考案のアンダーヘアー形成用補助具を使用すれば、特定形状のアンダーヘアーの必要部分は保護されているため、それ以外のはみ出し部分のみが、熟練を要することなく、また細心の注意を払うことなく容易に剃り取り又は刈り取りできる。
また、裏面に粘着剤層を備えたものは、所要部への定着と整毛作業も非常に容易となる。
さらに、把持部を備えているものにあっては、取り扱いも容易であり、また、基準表示を有するものは位置合わせも容易かつ正確に設定できる。
【考案を実施するための最良の形態】
【０００８】
本考案の実施の形態を実施例の図によって説明する。
図１は本考案の第１実施例のアンダーヘアー形成用補助具の平面図（ａ）、及びその中央断面図（ｂ）である。
図において、１は特定形状（ハート型）のアンダーヘアー型プレート板であり、２はその上方に接続部が狭窄して延設される延設板である。
そして、前記延設板の裏面には粘着剤層２ａが設けられており、さらにその上面には剥離シート２ｂが積層されている。
こうした構成のアンダーヘアー形成用補助具は、その使用に際して、まず剥離シート２ｂを剥がして粘着剤層２ａを露出させてから、特定形状のアンダーヘアー型プレート板１の裏面をアンダーヘアー部に正確に押し当て、次いで延設板２裏面を押し当てる。
こうして、図１のアンダーヘアー形成用補助具を下腹部に定着する。
次いで、アンダーヘアー形成用補助具からはみ出した部分のアンダーヘアーを、剃刀、ハサミ、電気カミソリ又はバリカンを当てて剃り取り又は刈り取る。この際、アンダーヘアー形成用補助具により、特定形状のアンダーヘアーの必要部分は保護されているため、それ以外のはみ出し部分のみが、熟練を要することなく、また細心の注意を払うことなく容易に剃り取り又は刈り取りできる。
【０００９】
図２は本考案の第２実施例のアンダーヘアー形成用補助具の平面図（ａ）、及びその中央断面図（ｂ）、他の例の中央断面図（ｃ）である。
図において、１は特定形状（ハート型）のアンダーヘアー型プレート板であり、２はその上方に接続部が狭窄して延設される延設板であり、３は延設板２の上部に延設される把持部である。
また、２ａは粘着剤層、２ｂは剥離シートであるが、これら粘着剤層２ａ、剥離シート２ｂは、延設板２の裏面のみでなく、把持部３の裏面に設けられていてもよい。
本例においては、更に基準表示が設けられている。
基準表示は位置を決定するためのものであり、例えば個人毎の目標物、例えば臍に向けて標準を合わせる。また、図においては間隔を置いて並設された垂直方向の縦線３ａ（太線）、３ａ’（細線）と水平方向の横線３ｂ（太線）、３ｂ’（細線）を各複数本付してある。
こうした構成のアンダーヘアー形成用補助具は、その使用に際して、まず剥離シート２ｂを剥がして粘着剤層２ａを露出させてから、個人毎の目標物に基準表示を向け、又は当てて、特定形状のアンダーヘアー型プレート板１の裏面をアンダーヘアー部に正確に押し当て、粘着剤層２ａを下腹部皮膚面に定着する。こうして、図２のアンダーヘアー形成用補助具を定着する。
次いで、アンダーヘアー形成用補助具からはみ出した部分のアンダーヘアーを、剃刀、ハサミ、電気カミソリ又はバリカンを当てて剃り取り又は刈り取る。この際、実施例１の場合と同様にアンダーヘアー形成用補助具により、特定形状のアンダーヘアーの必要部分は保護されているため、それ以外のはみ出し部分のみが、熟練を要することなく、また細心の注意を払うことなく容易に剃り取り又は刈り取りできる。
本例は把持部３を備えているため、取り扱いも容易である。
また、基準表示があるため、位置合わせも容易に正確に設定できる。
【００１０】
上記において、アンダーヘアー形成用補助具の素材は、透明又は半透明プラスチックスであることもよい。透明又は半透明であれば、基準表示を利用した位置合わせも容易である。そして、塩化ビニル樹脂、ポリエチレン樹脂、アクリル樹脂、ナイロン樹脂等のプラスチックスは加工が容易で、薄く製作することもできる。着色も容易である。
また、素材は紙であってもよい。紙としては、耐水性のもの、水溶性のもの等が挙げられ、使い捨てできる利点がある。
また、素材としては、アルミニウム、錫、銅、鉛等の金属も好ましいものである。これらは、適宜角度の折り曲げ可能でかつその折り曲げ角度で形状保持でき、すなわちる自由に曲げることができ、かつその曲げられた形状を保持できるため、所要部に三次元的に正確に定着することができ、アンダーヘアーの整毛が正確かつ容易に実施できる。
【００１１】
アンダーヘアー型プレート板の特定形状としては、上記実施例のハート型のほか、ティアードロップ型、トライアングル型あるいはスクエア型等が挙げられる。
【図面の簡単な説明】
【００１２】
【図１】本考案の第１実施例の平面図及び中央断面図
【図２】本考案の第２実施例の平面図及び中央断面図
【図３】本考案の他の実施例のアンダーヘアー型プレート板の平面図
【符号の説明】
【００１３】
１：アンダーヘアー型プレート板
２：延設板
２ａ：粘着剤層
２ｂ：剥離シート
３：把持部
３ａ、３ａ’：垂直方向の縦線
３ｂ、３ｂ’：水平方向の横線
【図１】
0003120112.tif 000003
【図２】
0003120112.tif 000004
【図３】
0003120112.tif 000005